(57)【要約】【課題】投稿データの内容が未完成な状態からでも投稿しやすく、投稿データの提供をユーザに促しやすいナレッジマネジメントシステムを実現する。【解決手段】クライアント端末から受信した投稿データを別のクライアントに対して電子的に公開する投稿処理装置に関する。この装置は、多くのユーザから投稿データを受信して蓄積すると共に、あるユーザにより別のユーザの投稿データに対して送信された見解を示すデータも受信する。あるユーザＡの投稿データに対して別のユーザＢから見解を示すデータを受信したとき、ユーザＡに対して見解を示すデータを受信した旨を通知する。ユーザＡの投稿データに対してユーザＢから所定指示を含む見解を示すデータを受け付けていた場合に、ユーザＡにより投稿データが更新されたとき、ユーザＢに投稿データが更新された旨を通知する。【選択図】図２
2008033800.tif 000002
【特許請求の範囲】
【請求項１】
複数のクライアント端末と通信ネットワークを介して接続され、
前記複数のクライアント端末のうちの第１のクライアント端末から、電子的に公開するためのデータであって随時更新可能な投稿データを受信する投稿データ受信部と、
受信された前記投稿データを保持する投稿データ保持部と、
前記複数のクライアント端末のうちの第２のクライアント端末から、前記投稿データの閲覧要求を受信する閲覧要求受信部と、
前記閲覧要求が受信されたとき、前記投稿データを前記第２のクライアント端末に送信する投稿データ送信部と、
前記第２のクライアント端末から、前記投稿データに対する閲覧者の見解を示す見解データを受信する見解データ受信部と、
前記投稿データに対する見解データ群から、前記投稿データに対する見解の傾向を集計する見解傾向集計部と、
前記第１のクライアント端末に前記投稿データの見解の傾向を通知する見解傾向通知部と、
前記第１のクライアント端末から、前記投稿データの内容を更新するための更新データを受信する更新データ受信部と、
前記更新データが受信されたとき、更新前の前記投稿データに対して所定指示を含む見解データを送信していたクライアント端末に前記投稿データが更新された旨を通知する更新通知部と、を備え、
前記見解傾向集計部は、前記投稿データの更新後に受信された見解データ群から、更新後の前記投稿データに対する見解の傾向を集計し、
前記見解傾向通知部は、前記第１のクライアント端末に対して更新後の前記投稿データに対する見解の傾向を通知することを特徴とする投稿処理装置。
【請求項２】
前記投稿データ送信部は、更新前の投稿データに対して見解データを送信していたユーザから、更新後の投稿データに対する閲覧要求が受信されたとき、前記ユーザに対して前記見解データの受信前の投稿データと受信後の投稿データの差分を送信することを特徴とする請求項１に記載の投稿処理装置。
【請求項３】
投稿データと前記投稿データの更新権限を有するユーザとを対応付けて保持する更新許可ユーザ保持部を更に備え、
前記更新データ受信部は、前記投稿データに対する更新データが受信されたとき、前記更新データの送信者が前記投稿データの更新権限を有するか否かを判定し、前記送信者が更新権限を有することを条件として、前記投稿データを更新することを特徴とする請求項１または２に記載の投稿処理装置。
【請求項４】
前記投稿処理装置は、当該投稿処理装置への接続要求をユーザＩＤと共に受信し、ユーザＩＤが登録されていることを条件として要求元であるクライアント端末からの接続を許可する装置であって、
投稿データの更新権限を投稿者以外のユーザに付与するためのグループＩＤの登録要求を受信するグループＩＤ登録受信部と、
前記投稿データと前記グループＩＤを対応付けて保持するグループＩＤ保持部と、
前記グループＩＤを取得可能なユーザＩＤの登録要求を受信するユーザＩＤ登録受信部と、
前記グループＩＤと前記ユーザＩＤを対応付けて保持する対応ＩＤ保持部と、
前記グループＩＤの取得要求を受信するグループＩＤ取得受信部と、
前記グループＩＤの取得要求が受信されたときには、前記対応ＩＤ保持部を参照し、取得要求を送信したユーザが前記グループＩＤを取得可能か否かを判定し、取得可能であることを条件として、前記投稿データの更新権限を付与する更新権限付与部と、を更に備え、
前記更新権限付与部は、前記グループＩＤを既に取得しているユーザが存在するときには、前記ユーザが前記グループＩＤを解放するまで前記グループＩＤの取得を許可しないことを特徴とする請求項１または２に記載の投稿処理装置。
【請求項５】
複数のクライアント端末と通信ネットワークを介して接続され、
前記複数のクライアント端末のうちの第１のクライアント端末から、電子的に公開するためのデータであって随時更新可能な投稿データを受信する投稿データ受信部と、
受信された前記投稿データを保持する投稿データ保持部と、
前記複数のクライアント端末のうちの第２のクライアント端末から、前記投稿データに対する閲覧要求を受信する閲覧要求受信部と、
前記閲覧要求が受信されたとき、前記投稿データを前記第２のクライアント端末に送信する投稿データ送信部と、
前記第２のクライアント端末から、前記投稿データに対する閲覧者の見解を示すデータであって、前記投稿データの内容に対する閲覧者の関心の度合いを示す関心データと、前記投稿データの内容に対する閲覧者の評価の度合いを示す評価データを含む見解データを受信する見解データ受信部と、
前記投稿データに対する見解データ群から、前記投稿データに対する関心データの傾向および評価データの傾向を集計する見解傾向集計部と、
前記第２のクライアント端末に対して前記投稿データに対する関心データの傾向および評価データの傾向を通知する見解傾向通知部と、
を備えることを特徴とする投稿処理装置。
【請求項６】
クライアント端末から投稿データの検索コマンドを受信する検索コマンド受信部と、
前記検索コマンドが受信されたとき、前記投稿データ保持部に保持されている投稿データ群を対象として検索処理を実行する検索実行部と、を更に備え、
前記検索実行部は、前記投稿データ群のうち、前記クライアント端末による所定指示を含む見解データの対象となった投稿データを除外して検索処理を実行することを特徴とする請求項１から５のいずれかに記載の投稿処理装置。
【請求項７】
前記投稿データ保持部は、投稿データを複数のカテゴリに分類して保持し、
クライアント端末からカテゴリの指定を含むコマンドであって、指定されたカテゴリに分類されている投稿データの出力を指定する出力コマンドを受信する出力コマンド受信部と、
前記出力コマンドが受信されたとき、指定された前記投稿データを１つのファイルに統合するファイル作成部と、
統合された前記ファイルを前記クライアント端末に送信するファイル送信部を更に備えることを特徴とする請求項１から６のいずれかに記載の投稿処理装置。
【請求項８】
前記投稿データ受信部は、前記投稿データと共に前記投稿データに対する投稿者の所感を示す所感データを受信し、
前記投稿データ送信部は、前記投稿データに対する閲覧要求が受信されたとき、前記投稿データと共に前記所感データを送信することを特徴とする請求項１から７のいずれかに記載の投稿処理装置。
【請求項９】
前記見解傾向集計部は、前記投稿データに対する見解データが受信されたとき、前記見解データの送信者の登録期間と所定期間とを比較することにより前記見解データの送信権限を有するか否かを判定し、前記送信者が送信権限を有することを条件として、前記見解データを前記投稿データに対する見解の傾向の集計対象とすることを特徴とする請求項１から８のいずれかに記載の投稿処理装置。
【請求項１０】
クライアント端末から見解データが受信されたとき、前記見解データの対象である投稿データを送信したクライアント端末に受信の旨を通知する見解通知部を更に備えることを特徴とする請求項１から９のいずれかに記載の投稿処理装置。
【発明の詳細な説明】
【技術分野】
【０００１】
この発明は、投稿データを電子的に公開する技術に関する。
【背景技術】
【０００２】
近年、コンピュータの普及とネットワーク技術の進展に伴い、ネットワークを介した電子情報の交換が盛んになっている。一例として、電子掲示板システムを挙げることができる。電子掲示板システムにおいて、ユーザは、クライアント端末からサーバに投稿データを送信する。サーバは、受信した投稿データを電子掲載する。別のユーザは、電子掲載された投稿データをクライアント端末にて確認できる。電子掲示板システムは、複数者間の情報共有に有効なツールとして広く利用されている。
【０００３】
電子掲示板システムの一例として、ナレッジマネジメントシステム（以下、単に「ＫＭＳ：Knowledge Management System」という）がある。ユーザは、自身の経験に基づいたノウハウを含む投稿データをＫＭＳに送信する。ＫＭＳには、投稿データとして様々な内容のノウハウが集まってくることになる。ユーザは、ＫＭＳにアクセスすることで、ノウハウを提供したユーザと同じ過ちを繰り返すことなく、自身が直面する問題の解決策を事前に知ることができる。例えば、ビジネスの現場においてノウハウを共有できれば、別々の社員による同じ失敗の発生を抑制できる。あるノウハウを有する社員が別の社員に口頭でそのノウハウを伝えたとしても、情報を提供する側と受けとる側との間でその解釈が微妙に異なる場合がある。提供する側の社員が暗黙の了解と思っている事項が、受け取る側にとっては了解事項ではなく、その結果としてノウハウの伝達がうまくいかないという場面はよく見受けられることである。ＫＭＳは、こういった問題に対する有効な手法であり、ＫＭＳでノウハウを具体的に共有することにより、社内全員のノウハウに対する解釈を統一させることができる
【特許文献１】特開２００３−５０７７８号公報
【発明の開示】
【発明が解決しようとする課題】
【０００４】
ＫＭＳにおいて、複数のユーザ間でノウハウをうまく共有するためには、投稿内容にある程度の正確性が必要である。そのため、ユーザはぞんざいな情報を投稿できず、当初からしっかりした情報を準備することが要求される。情報を投稿するユーザの負担や責任が大きいため、ユーザは情報提供を敬遠しがちになる。ユーザからの情報提供が進まなければ、有用な情報を共有化できず、ＫＭＳは形骸化してしまう。
【０００５】
本発明は、上記課題に鑑みてなされた発明であり、その主たる目的は、投稿データの内容が未完成な状態からでも投稿しやすく、投稿データの提供をユーザに促しやすいＫＭＳを実現するための技術、を提供することにある。
【課題を解決するための手段】
【０００６】
本発明の有る態様は、クライアント端末から受信した投稿データを別のクライアントに対して電子的に公開する投稿処理装置に関する。本実施の形態において「投稿データ」とは、ユーザが投稿処理装置に送信したデータ全般をいい、文章形式のデータのみならず、画像形式や動画形式のデータ、数値、表およびグラフなどのデータも含まれる。
この装置は、多くのユーザから投稿データを受信して蓄積すると共に、あるユーザにより別のユーザの投稿データに対して送信された見解を示すデータも受信する。投稿データごとに見解を示すデータを集計し、その見解の傾向をデータベース化する。
この装置は、あるユーザＡの投稿データに対して別のユーザＢから見解を示すデータを受信したとき、ユーザＡに対して見解を示すデータを受信した旨を通知してもよい。そして、ユーザＡの投稿データに対してユーザＢから所定指示を含む見解を示すデータを受け付けていた場合に、ユーザＡにより投稿データが更新されたとき、ユーザＢに投稿データが更新された旨を通知してもよい。更に、更新後に受信した見解を示すデータのみを集計し、ユーザＡに対してその見解の傾向を通知してもよい。
また、ユーザから受信する見解を示すデータは、評価の度合いを示すデータと関心の度合いを示すデータを含んでもよい。この装置は、それぞれのデータを別々に集計してもよい。そして、集計されたそれぞれのデータの傾向をユーザに通知してもよい。
なお、本実施の形態において「通知」とは、投稿処理装置がクライアント端末に対して送信するメールなどのように、設定に応じて自動的に通知する場合に限られない。ユーザからの要求に応じて、投稿処理装置が更新の有無や見解の傾向を示すデータを適宜送信する場合も含まれる。
【発明の効果】
【０００７】
本発明によれば、投稿データの内容が未完成な状態からでも投稿しやすく、投稿データの提供をユーザに促しやすいＫＭＳを実現する上で効果がある。
【発明を実施するための最良の形態】
【０００８】
図１は、投稿システム１０のハードウェア構成図である。
電子掲示板サーバ１００は、インターネット１２を介してクライアント端末２００ａやクライアント端末２００ｂなどの複数の端末（以下、単に「クライアント端末２００」という）と接続される。電子掲示板サーバ１００は、各クライアント端末２００から投稿データを受信し、電子掲載する装置である。例えば、クライアント端末２００ｂがある投稿データを電子掲示板サーバ１００に送信したとする。電子掲示板サーバ１００は、投稿データのサブジェクト等、投稿データの一部をＷｅｂページとして提供する。電子掲示板サーバ１００は、クライアント端末２００ａからこの投稿データに対する閲覧要求を受信すると、投稿データをクライアント端末２００ａに送信する。クライアント端末２００ａにてクライアント端末２００ｂによる投稿データを確認できる。このようにして、複数のクライアント端末２００間で投稿データの情報が共有される。
【０００９】
図２は、投稿システム１０の処理概要を説明するための模式図である。
ここでは、投稿システム１０のユーザは、ユーザＡおよびユーザＢであるとする。ユーザＡは、クライアント端末２００から電子掲示板サーバ１００に投稿データα１を送信する。投稿データα１の内容は、具体的に理解できるほど完成された内容ではなく、ユーザＡがその時思いついたことを記したメモ書き程度の内容であるとする。ユーザＢは、投稿データα１を閲覧すると、投稿データの内容に対する見解データβ１を電子掲示板サーバ１００に送信することにより自己の見解を表明する。見解データは、投稿データに対するユーザの評価、関心、感想、コメントなどを含む。ユーザＢは、投稿データα１の主題に興味を感じたが内容には満足できなかったとする。このときユーザＢは、高い関心、低い評価を設定した見解データβ１を送信する。電子掲示板サーバ１００に送信された見解データβ１は、投稿システム１０のユーザにより自由に閲覧される。見解データについて、図５に関連して更に詳述する。
【００１０】
ユーザＡは、ユーザＢからの見解データβ１を閲覧する。自分の投稿データに関心を持ったユーザの存在を知ると共に、その評価が芳しくないことも知る。なお、ユーザＡは、見解データβ１の受信を知ることができるが、見解データβ１がユーザＢにより送信されたことを知ることはできない。見解データを送信したユーザを特定できないようにすることで、悪い見解を示したユーザは悪意を持たれずに済む。いいかえれば、ユーザ間で問題が発生するのを防ぎ、投稿システム１０を円滑に運営することができる。よって、見解データを送信するユーザは、投稿データを提供するユーザに遠慮することなく、より本心に近い判断ができる。一方、投稿データを提供するユーザは、閲覧するユーザの客観的な見解を知ることできる。
【００１１】
仮に、ユーザＡは、投稿データα１の内容がメモ書き程度で完成度が低かったため、評価が低かったのではないかと考えたとする。よって、投稿データα１の内容を補完するため、より詳細な更新データα２を送信する。更新データは、投稿データの内容を補完する目的以外にも、内容全体を差し替えたり、ちょっとした内容を追記したりする目的に使用してもよい。この更新データα２により、投稿データα１は一層充実した内容になることになる。
【００１２】
ユーザＢは、更新データα２を閲覧し、より詳細な情報を取得する。ユーザＢは、より詳しい内容を知ることはできたが、自分が本当に知りたいことが書かれていないと感じたとする。ユーザＢは見解データβ２として、「○○○の内容についてもっと詳しく教えて欲しい」という旨のコメントを送信する。ユーザＡは、見解データβ２を閲覧し、更新データα２に不足していた内容を知る。その上で、更にどのような情報を更新データとして送信するべきかを考えることになる。
【００１３】
このような処理方法によれば、最初はメモ書き程度の内容で完成度の低かった投稿データが、見解データおよび更新データのやりとりを重ねていくことで、閲覧するユーザ（以下、単に「閲覧者」という）にとって有効な情報へと変化する。一方、投稿するユーザ（以下、単に「投稿者」という）にとっても、最初から完成度の高い情報を投稿する必要がないため、負担が少なくて済む。また、閲覧者による内容の評価や関心などは、投稿者に手応えややる気を感じさせることができる。
【００１４】
また、ユーザごとの見解データを比較することにより、価値観が近いと考えられるユーザを抽出してもよい。それにより、ユーザＢが閲覧していない投稿データγを閲覧する際、電子掲示板サーバ１００はユーザＢと価値観が近いとして抽出されたユーザＣの投稿データγに対する見解データに応じて、投稿データγの表示方法を変化させてもよい。例えば、ユーザＣが、投稿データγを高く評価している場合、ユーザＢの閲覧するクライアント端末２００には投稿データγと共に「おすすめ」等の表示が表示される。
【００１５】
ユーザＢは、こうした表示を考慮することで投稿データをより効率的に閲覧できる。そのため、投稿システム１０のユーザは見解データを送信しようと考えやすくなる。見解データの送信は、投稿者の投稿データ更新や新たな投稿に対する意欲向上に繋がる。電子掲示板サーバ１００はより多く、そしてより質の高い投稿データを収集し得る。
【００１６】
図３は、電子掲示板サーバ１００の機能ブロック図である。
ここに示す各ブロックは、ハードウェア的には、コンピュータのＣＰＵをはじめとする素子や機械装置で実現でき、ソフトウェア的にはコンピュータプログラム等によって実現される。ここでは、それらの連携によって実現される機能ブロックを描いている。よって、これらの機能ブロックはハードウェア、ソフトウェアの組合せによっていろいろなかたちで実現できることは、当業者には理解されるところである。
ここでは、主として各機能ブロックの発揮すべき機能について述べ、その具体的な作用については、後述する。
【００１７】
電子掲示板サーバ１００は、通信処理部３００、データ処理部４００およびデータ保持部５００を含む。通信処理部３００は、ユーザからの入力処理やユーザに対する情報表示のようなユーザインタフェース全般に関する処理を担当する。データ処理部４００は、通信処理部３００やデータ保持部５００から取得されたデータを元にして各種のデータ処理を実行する。データ処理部４００は、通信処理部３００とデータ保持部５００の間のインタフェースの役割も果たす。データ保持部５００は、あらかじめ用意された各種の設定データや、通信処理部３００やデータ処理部４００から受け取ったデータを格納する。
【００１８】
通信処理部３００は、投稿データ部３１０、見解部３２０、更新部３３０、検索コマンド受信部３４０、出力部３５０、グループＩＤ登録受信部、ユーザＩＤ登録受信部およびグループＩＤ取得受信部を含む。
投稿データ部３１０は、クライアント端末２００と投稿データに関する通信処理を担当する。投稿データ部３１０は、投稿データ受信部３１２、閲覧要求受信部３１４および投稿データ送信部３１６を含む。投稿データ受信部３１２は、投稿者から投稿データを受け付ける。閲覧要求受信部３１４は、閲覧者から投稿データ保持部５１０に蓄積されている投稿データの閲覧要求を受け付ける。投稿データ送信部３１６は、閲覧要求のあった投稿データをクライアント端末２００に送信する。
【００１９】
見解部３２０は、クライアント端末２００と見解データに関する通信処理を担当する。見解部３２０は、見解データ受信部３２２、見解通知部３２４および見解傾向通知部３２６を含む。見解データ受信部３２２は、投稿データに対する閲覧者の見解データを受け付ける。見解通知部３２４は、投稿データに対して見解データが受信されたときに、その投稿データを送信した投稿者にその旨を通知する。投稿者は、投稿データに対して閲覧者からの反応があったことを知ることができ、電子掲示板サーバ１００にアクセスして見解データ受信の有無を自ら確認する必要がない。受信された見解データは、見解傾向集計部４１０により、投稿データごとの見解の傾向が集計される。見解の傾向は、見解データに含まれる評価、関心、感想などの項目をそれぞれ集計したものである。詳細は、図５に関連して詳述する。見解傾向通知部３２６は、見解傾向集計部４１０により集計された見解の傾向を、閲覧要求に応じて投稿者に通知する。
【００２０】
更新部３３０は、クライアント端末２００と更新データに関する通信処理を担当する。更新部３３０は、更新データ受信部３３２および更新通知部３３４を含む。更新データ受信部３３２は、更新データを受け付ける。更新通知部３３４は、更新データが受信されたときに、更新される前の投稿データに高い関心を示していた閲覧者に対してその旨を通知する。具体的には、閲覧者は、あらかじめ設定された選択肢から選ぶことにより投稿データに対する関心の度合いを簡単に示すことができる。閲覧者が示した関心の度合いは、見解データとして電子掲示板サーバ１００に送信される。本実施例では、関心の度合いを３つの選択肢から選ぶことができる。そのうち最も関心が高いことを示す選択肢を選んだときに、更新通知部３３４は、閲覧者に更新を通知する。詳細は、図５に関連して詳述する。こうした処理によれば、閲覧者は、電子掲示板サーバ１００にアクセスして、更新データ受信の有無を確認する必要が無く関心をもっている投稿データの更新状況をリアルタイムに知ることができる。
【００２１】
電子掲示板サーバ１００は、投稿データ保持部５１０に蓄積された投稿データの検索機能を有する。検索コマンド受信部３４０は、ユーザが多数の投稿データの中から必要な投稿データを検索する際、クライアント端末２００から検索条件を示すデータを含む検索コマンドを受け付ける。投稿データ保持部５１０には、投稿データが複数のカテゴリに分類されて蓄積されている。検索条件として、ユーザは投稿データの内容やカテゴリのタイトルに含まれる文字列をキーワードとして指定できる。検索機能について、図１１に関連して詳述する。
【００２２】
電子掲示板サーバ１００は、ユーザにより指定されたカテゴリに分類される複数の投稿データを１つのファイルに統合し、クライアント端末２００に出力する機能を有する。出力部３５０は、クライアント端末２００と投稿データの出力に関する通信処理を担当する。出力部３５０は、出力コマンド受信部３５２およびファイル送信部３５４を含む。出力コマンド受信部３５２は、クライアント端末２００からユーザにより指定されたカテゴリのデータを含む出力コマンドを受け付ける。ファイル作成部４３０は、出力コマンドにより対象とされた投稿データを投稿データ保持部５１０から抽出し、それらの投稿データを１つのファイルに統合する。ファイル送信部３５４は、ファイル作成部４３０により作成されたファイルを、クライアント端末２００に送信する。出力機能について、図１２に関連して詳述する。
【００２３】
電子掲示板サーバ１００は、クライアント端末２００からの接続要求をユーザを識別するためのユーザＩＤとパスワードと共に受信する。受信したユーザＩＤとパスワードが登録されているデータと適合するときには、電子掲示板サーバ１００は、クライアント端末２００からの接続を許可する。許可されたクライアント端末から、ユーザは投稿データを送信できる。投稿データは原則、その投稿データを提供したユーザしか更新できない。しかしながら、複数のユーザにより１つの投稿データを更新する方がよい場合もある。この場合、投稿者は電子掲示板サーバ１００に対して、投稿データの更新権限を投稿者以外のユーザに付与するためのグループＩＤの登録要求を送信する。グループＩＤ登録受信部は、クライアント端末２００からグループＩＤの登録要求を受信する。
【００２４】
電子掲示板サーバ１００は、受信した登録要求に基づいて、その投稿データにグループＩＤを設定する。今後協力してその投稿データを更新するユーザ（以下、単に「協力ユーザ」という）がグループＩＤを取得できるように、投稿者は、協力ユーザのユーザＩＤとグループＩＤとを対応付けて登録する旨の要求をクライアント端末２００から送信する。ユーザＩＤ登録受信部は、その登録要求を受信する。協力ユーザが投稿データを更新するときには、電子掲示板サーバ１００に接続した際のユーザＩＤに基づいて、グループＩＤを取得する必要がある。グループＩＤ取得受信部は、協力ユーザからグループＩＤの取得要求を受信する。なお、グループＩＤ登録受信部、ユーザＩＤ登録受信部およびグループＩＤ取得受信部の機能は、通信処理部３００が担当する。
【００２５】
データ処理部４００は、見解傾向集計部４１０、検索実行部４２０、ファイル作成部４３０および更新権限付与部を含む。
見解傾向集計部４１０は、クライアント端末２００より受信された見解データから、投稿データごとの見解の傾向を集計する。検索実行部４２０は、ユーザにより入力された検索条件に対して、好適な投稿データを投稿データ保持部５１０から抽出する。例えば、ユーザは、社内の福利厚生について知りたいことがあるため、検索条件として「福利厚生」というキーワードを入力したとする。入力された検索条件は、検索コマンドとして検索コマンド受信部３４０により受信される。検索実行部４２０は、受信された検索コマンドから「福利厚生」というキーワードを取得し、投稿データ保持部５１０から該当する投稿データを抽出する。ファイル作成部４３０は、出力コマンド受信部３５２からユーザが指定するカテゴリを示すデータなどを含む出力コマンドを受け付ける。ファイル作成部４３０は、出力コマンドにより指定してされたカテゴリに属する複数の投稿データを統合し、１つのファイルを作成する。
【００２６】
複数のユーザにより１つの投稿データを更新する場合、協力ユーザは投稿データの更新権限を取得するため、クライアント端末２００からグループＩＤの取得要求を送信する。更新権限付与部は、グループＩＤの取得要求が受信されたとき、協力ユーザのユーザＩＤがグループＩＤを取得可能か否かを判定する。取得可能な場合、更新権限付与部は、協力ユーザのＩＤをグループＩＤに切り換える。なお、更新権限付与部の機能は、データ処理部４００が担当する。
【００２７】
データ保持部５００は、投稿データ保持部５１０、更新許可ユーザ保持部５２０、閲覧許可ユーザ保持部５３０、グループＩＤ保持部および対応ＩＤ保持部を含む。投稿データ保持部５１０は、クライアント端末２００から受信された投稿データを複数のカテゴリに分類して保持する。本実施例において、投稿データを更新可能なユーザは、原則として、その投稿データを提供した投稿者のみである。しかしながら、複数の投稿者によって１つの投稿データを更新していく方が便利な場合も有る。例えば、１つの投稿データに複数の専門分野が関わるため、それぞれの専門家がその分野の情報を提供する場合などである。複数の投稿者で更新するためには、最初に投稿データを送信した投稿者が、その投稿データに対して更新権限を付与する他のユーザを電子掲示板サーバ１００に登録する必要がある。更新許可ユーザ保持部５２０は、更新権限が付与されたユーザをその投稿データと対応付けて登録する。更新許可ユーザ保持部５２０のデータ構造については、図１０に関連して詳述する。
【００２８】
閲覧許可ユーザ保持部５３０は、投稿データの閲覧権限を有するユーザのデータを保持する。ユーザは、電子掲示板サーバ１００を使用する際、使用を許可されるためのユーザ登録を行う。登録により、投稿データ保持部５１０に蓄積される投稿データの閲覧権限がユーザに付与される。電子掲示板サーバ１００は、ユーザに見解データおよび更新データの受信を通知する機能を有するため、通知に必要最低限な情報をユーザに登録させる。例えば、メールアドレスなどが考えられる。通知の手段として、Ｗｅｂサイトの更新情報を公開するために使用されるＲＳＳ（Rich Site Summary）を使用してもよい。この場合、通知に必要な情報すら登録させる必要がないため、ユーザはより容易に投稿データの閲覧権限を取得できる。そのため、ユーザが電子掲示板サーバ１００の使用を開始するための敷居が低くなり、多くのユーザにとって利用しやすいシステムとなる。
【００２９】
一方、ユーザ登録を容易にすることは、悪質なユーザが入り込むことを許す。例えば、あるユーザが一人で複数のユーザ登録を行ったとする。そのユーザは、それぞれのユーザに成りすまし、あたかも多数のユーザが特定の投稿データや特定のユーザを非難しているかのような状況を演出するかもしれない。本実施例では、こうした状況を防止するため、ユーザの登録期間が一定の期間を超えない場合には、閲覧権限が付与されるが、見解データの送信が禁止される。あるユーザが別のユーザを誹謗中傷しようとして多数のユーザ登録を行ったとしても、直ちに見解データの送信権を取得できないため、結果として、このような嫌がらせを防止しやすくなる。悪質なユーザの防止については、図１５に関連して詳述する。
【００３０】
複数のユーザにより１つの投稿データを更新する場合、その投稿データを提供した投稿者は、協力ユーザに投稿データの更新権限を付与させるためのグループＩＤの登録要求を送信する。グループＩＤ保持部は、受信されたグループＩＤの登録要求に基づいて、そのグループＩＤと投稿データを対応付けて登録する。投稿者は、協力ユーザがグループＩＤを取得できるように、協力ユーザのＩＤとグループＩＤとを対応付けて登録する旨の要求をクライアント端末２００から送信する。対応ＩＤ保持部は、その登録要求に基づいて、その協力ユーザのＩＤとグループＩＤとを対応付けて登録する。なお、グループＩＤ保持部および対応ＩＤ保持部の機能は、データ保持部５００が担当する。
【００３１】
以下、投稿システム１０の実際の使用例に基づきながら、本発明について説明する。
【００３２】
図４は、ユーザが投稿データを入力するときにクライアント端末２００に表示される画面の画面図２０である。
画面図２０は、ある会社のユーザが社内のＫＭＳを使用する状況を表示している。
【００３３】
同図の領域２２は、投稿データが分類されているディレクトリを表示する。投稿データは、こうしたディレクトリによって複数のカテゴリに分類される。「●」マークが付与されているディレクトリが最も上位に位置するディレクトリ（以下、単に「上位ディレクトリ」という）であることを示す。「−」マークが付与されているディレクトリは、「●」マークが付与されたディレクトリに属するディレクトリ（以下、単に「下位ディレクトリ」という）であることを示す。領域２２では、「クレームの対応」と「福利厚生」という２つの上位ディレクトリが表示されている。それぞれに下位ディレクトリが設定されており、「クレームの対応」には「愛知商事」、「京都商事」および「東京商事」の３つの下位ディレクトリが、「福利厚生」には「保養所」と「資格取得」の２つの下位ディレクトリが属する。下位ディレクトリを示す文字列には、その中に分類される投稿データの題名を領域２４に表示させるためのリンク情報が付与されている。ユーザは、マウスなどの入力装置により文字列をクリックできる。
【００３４】
領域２４には、領域２２にてクリックされた下位ディレクトリの名前と、その下位ディレクトリに属する投稿データの題名が表示される。同図の領域２４において「資格取得」として示されている文字列が、領域２２においてクリックされた下位ディレクトリの名前を示している。同図によると、「＞」マークで示された「今年度から新しく追加された資格」と「こんな資格でも補助金がもらえました！」という２つの投稿データが含まれることがわかる。本実施例では、ユーザは、投稿データを入力する際、投稿データの内容にあった下位ディレクトリを領域２２から選択し、領域２５にて投稿データを入力する。入力した投稿データは、選択した下位ディレクトリに分類される。
【００３５】
領域２５は、投稿者がデータを入力するための領域である。領域２５は、所感データを入力するための領域２６と投稿データを入力するための領域２８を含む。領域２６にて、投稿者は入力した投稿データに対する率直な気持ちを示すための所感データを入力する。所感データには、領域２６の「投稿者の気持ち」として「公式情報」、「意見歓迎」、「自分用メモ」、「参考レベル」、「半信半疑」および「応援求む」という６つの選択肢が用意されている。投稿者は、投稿データを送信するときに、自分の気持ちに適した選択肢を選ぶ。選ばれた選択肢を示すデータは、投稿データと対応付けてデータ保持部５００に登録される。閲覧者が、その投稿データ閲覧する際に、所感データも投稿データと同時に送信され、クライアント端末２００に表示される。所感データの表示については、図５に関連して詳述する。
【００３６】
投稿者が選択肢を選ぶことに負担を感じるようであれば、選択肢を全く選ばなくてもよい。しかしながら、投稿者がいずれかの選択肢を選ぶことにより、閲覧者は投稿データがどのような意図で書かれたのかを知ることができる。例えば、内容が不十分でメモ書き程度であっても、「投稿者の気持ち」にて「自分用メモ」を選択していれば、閲覧者はもっと情報が欲しいと思うかもしれないが、内容がぞんざいなことについて怒りを覚えることはないかもしれない。投稿者は、閲覧者が投稿データの内容に対してどの程度の知識を有するのか、投稿した文章の内容をどのように受けとるかといったことを気にしないで済む。そのため、投稿者は、投稿データを最初から完全な状態で提供する必要が無く、投稿者の負担はより軽減される。投稿者は「投稿者の気持ち」において、同時に選ぶことができる選択肢は１つに限られず、複数の選択肢を選んでもよい。同図の領域２６では、「意見歓迎」と「参考レベル」が選択されている。投稿者は、入力する段階では内容に自信が無く、閲覧者からの意見を踏まえながら投稿データを充実させようと考えているのかもしれない。
【００３７】
領域２８は、投稿者が投稿データの本文を入力する領域である。入力された最初の１行目が投稿データの題名となるが、題名を入力するために別の入力フォームを設けてもよい。領域２８に入力された内容は、閲覧者がその投稿データを閲覧する際、入力時と同じ状態で見ることができる。具体的には、投稿者が改行した位置の情報についても投稿データ保持部５１０に登録され、閲覧者が見る際にも同じ位置で改行される。同図の領域２８では、上から４行目が「特に大事なこと」という文字列のみで構成され、前後で改行されている。投稿者は、この文字列だけで１行を構成することで、この部分を強調したいのかもしれない。こうした処理により、ユーザは文章の整形についてタグなどの専門的な知識が必要とされず、多くのユーザにとって投稿システム１０を使用するための敷居が低く、利用しやすいシステムとなる。
【００３８】
電子掲示板サーバ１００は、投稿データを閲覧しやすくするためのインデント処理機能を備える。投稿者は、インデント処理させたい文字列の先頭に「＊」マークを挿入し、実行ボタン３０をクリックする。クライアント端末２００は、インデント処理要求を示すデータ電子掲示板サーバ１００に送信する。電子掲示板サーバ１００は、インデント処理要求を示すデータを受け付け、インデント処理したデータをクライアント端末２００に送信する。その結果、領域２８では「＊」マークが先頭に挿入された文字列を所定の幅だけインデント処理した投稿データが表示される。ＯＫボタン３２がクリックされると、クライアント端末２００は入力された所感データと投稿データを確定し、電子掲示板サーバ１００に送信する。キャンセルボタン３４がクリックされると、所感データや投稿データの入力がキャンセルされる。
【００３９】
図５は、ユーザが投稿データを閲覧するときにクライアント端末２００に表示される画面の画面図４０である。
画面図４０には、投稿者が図４の画面図２０にて入力した投稿データを、閲覧者がクライアント端末２００にて閲覧している状況が表示される。同図の領域４２は、図４の領域２２と同様、投稿データが分類されている上位ディレクトリと下位ディレクトリを表示する。領域４２の下位ディレクトリ名に対しては、リンク情報が付与されている。ユーザが下位ディレクトリ名をクリックすると、領域４４にその下位ディレクトリに属する投稿データの題名が表示される。
【００４０】
領域４４には、領域４２にて閲覧者によりクリックされた下位ディレクトリの名前と、その中に含まれる投稿データの題名が表示される。領域４２には、図４の画面図２０にて、投稿者により入力された投稿データの題名「英会話の勉強について」が、「資格取得」という下位ディレクトリに追加されている。投稿データの題名を示す文字列には、投稿データ内容と所感データを領域４６に表示するためのリンク情報が付与されている。
【００４１】
領域４６には、投稿者による所感データを示す領域４８、投稿データによる投稿データを示す領域５０、閲覧者による見解データを入力するための領域５２および領域５４を含む。領域４８には、投稿者が入力した所感データである「投稿者の気持ち」が表示される。図４の領域２６では、投稿者により選択された「参考レベル」と「意見歓迎」が示されている。閲覧者は、投稿データと所感データの双方を閲覧することにより、投稿者がどんな考えでその投稿データを提供したのかを知ることができる。仮に、投稿データが粗末な内容であったとしても、「投稿者の気持ち」として「意見歓迎」と示されていれば、閲覧者は、投稿者のやる気を感じ、知りたいことに対して進んで見解データを送信するかもしれない。一方、投稿データの内容が粗末なことに対して、怒る閲覧者が少なくなりやすい。その結果、投稿者は、最初から完全な状態の投稿データを準備する負担が軽減される。また、投稿者が閲覧者の示す見解に応じて、投稿データを更新し充実させることは、閲覧者にとって真に有益な情報を提供することになる。
【００４２】
領域５０には、投稿者が入力した投稿データの内容が表示される。領域５０では、図４の領域２８にて「＊」マークが挿入された文字列がインデント処理された状態で表示される。投稿者は、「＊」マークを挿入するだけで、文章を整形することができるため、専門的な知識が必要とされない。強調のため故意に改行した「特に大事なこと」という文字列も入力した改行の状態がそのまま反映され、この文字列のみで１行を構成している。このような処理によれば、初心者のユーザであっても内容を見やすくできるため、投稿データを提供するために専門的な知識の習得を必要とせず、多くのユーザにとって使いやすいシステムとなる。
【００４３】
領域５２および領域５４は、投稿データに対する見解データを閲覧者が入力する領域である。領域５２の見解データは、全てマウスにより入力できるように設定されている。そのため、閲覧者は、見解データの入力に対して大きな負担を感じることなく、自分の見解にあった選択肢を容易に選ぶことができる。よって、より多くのユーザから見解データを収集しやすくなり、投稿者は更新や新たな投稿への意欲が上がる。領域５２には、「関心」、「評価」および「感想」の３つの項目が表示される。「関心」の項目は、「無い」、「有る」および「通知希望」の３つの選択肢が設定される。閲覧者は、投稿データの内容に対して自分が感じた見解に近い選択肢を選ぶことができる。「無い」から「通知希望」に向かうに連れて関心の度合いは高くなり、「通知希望」は関心が最も高い選択肢である。
【００４４】
閲覧者が「通知希望」を選択した場合には、その投稿データが更新された際に、更新通知部３３４は投稿データが更新された旨を閲覧者に通知する。閲覧者は、通知を希望するほど関心が高い投稿データに対して「通知希望」を選択することで、自ら電子掲示板サーバ１００にアクセスすることなく投稿データの更新を知ることができる。関心の高い投稿データが更新されたことをいち早く知ることで、閲覧者も投稿データに対して見解データを入力するモチベーションが高まることになる。
【００４５】
「関心」に関する各項目の後ろには、閲覧者の見解傾向が分数形式にて表示される。括弧内の分数のうち、分母にあたる数値は、その項目を選択した閲覧者の総数を示す。分子にあたる数値は、分母にあたる数値のうち、最新内容の投稿データに対して、その項目を選択した閲覧者の総数を示す。これにより、投稿データに対する閲覧者の関心と最新の内容に対する閲覧者の関心を比較できる。例えば、「無い」の後ろには「１／１」が表示されている。分母にあたる数値は、「無い」を入力したユーザの総数を示す。分子にあたる数値は、その投稿データが更新された後に「無い」を入力したユーザの総数を示す。投稿データが更新されていない場合、分子にあたる数値は投稿後に「無い」を入力したユーザの総数となり、分子と分母の数値は同値となる。同図の領域５０では、投稿データはまだ更新されていないため、分子と分母の数値は同じとなっている。いいかえれば、「１／１」は、関心の項目について「無い」を選択したユーザが投稿後から現在まで１人であることを示す。仮に「１／４」と表示されていれば、投稿後から現在まで４人のユーザが入力しており、そのうちの１人は投稿データ更新後に入力したユーザであることを示す。
【００４６】
「評価」の項目には、「＋３ポイント」、「±０」および「−３ポイント」の３つの選択肢が設定される。「＋３ポイント」が最も評価が高く、「±０」、「−３ポイント」の順に評価が低いことを示す。見解傾向集計部４１０は、投稿データごとに様々なユーザから寄せられた見解データの評価ポイントを足し合わせることで、評価についての見解の傾向を算出する。「感想」の項目には、「今後に期待」、「難しい」、「例示を希望」および「賛成」の４つの選択肢が設定される。ユーザは投稿データの内容を見た上で、自身の感想に最も近い選択肢を選ぶことができる。「感想」の項目についても「関心」の項目と同様、図示しない分数形式によって見解の傾向が示される。閲覧者は、領域５２のそれぞれの項目において選択肢を選ぶことを強制されない。しかしながら、閲覧者は見解データを入力することにより、投稿データの更新通知などのメリットを享受できる。
【００４７】
見解の傾向は、「関心」、「評価」および「感想」の３つの項目それぞれの集計結果を表したものである。「関心」および「感想」については、それぞれの選択肢ごとに分数形式の数値によって示される。「評価」については、投稿データごとに入力されたポイントの平均値により示される。ユーザは集計された見解の傾向を閲覧しても、どのユーザがどんな見解データを送信したのかを知ることはできない。閲覧者は、悪い見解を示すことによる投稿者からの逆恨みを憂慮することなく、自分の素直な見解を入力できる。投稿者にとって、見解の傾向は、その投稿データに対して閲覧者がどう感じたのかを判断する指標となる。「関心」と「感想」の項目では更新後の入力ユーザの数を知ることができるため、更新した内容に対する閲覧者の反応を感じることができる。
【００４８】
同図の領域５２では、関心：「通知希望」、評価：「±０」、感想：「今後に期待」および「例示を希望」が選択されている。「±０」および「例示を希望」から、この投稿データを見たユーザは、内容が乏しいことに多少なりとも不満を持っていると推測される。しかしながら、「通知希望」および「今後に期待」を選択することで、内容に関心を示し、今後の情報の充実を期待していることも予測される。
【００４９】
ユーザは、領域５４に自由文章形式にて投稿データに対する見解を入力することもできる。ユーザは、内容に対する具体的な要望や意見を入力する。領域５２では表現しきれない閲覧者の見解を投稿者に伝えることができる。投稿者も閲覧者の要望をより具体的に知ることができ、それに対応して投稿データを更新することにより、投稿データはより充実し、閲覧者は電子掲示板サーバ１００から必要とする知識やノウハウを入手できる。ＯＫボタン５６がクリックされると、クライアント端末２００は領域５２で選択されたデータと領域５４に入力されたデータを電子掲示板サーバ１００に送信する。キャンセルボタン３４がクリックされると、それらのデータの送信がキャンセルされる。
【００５０】
図６は、閲覧者による見解データに応じて投稿者が投稿データを更新するときの処理過程を示すシーケンス図である。
まず、電子掲示板サーバ１００の投稿データ受信部３１２は、投稿者が使用するクライアント端末２００（以下、「投稿用端末」という）から投稿データを受信する（Ｓ１０）。閲覧要求受信部３１４は、閲覧者が使用するクライアント端末２００（以下、「閲覧用端末」という）から、その投稿データに対する閲覧要求を受信する（Ｓ１２）。投稿データ送信部３１６は、閲覧要求のあった投稿データを投稿データ保持部５１０から抽出し、閲覧用端末に送信する（Ｓ１４）。閲覧者は、閲覧用端末にて見解データを入力する（Ｓ１６）。閲覧用端末は、入力された見解データを送信する（Ｓ１８）。見解データ受信部３２２は、閲覧用端末から送信された見解データを受信する。
【００５１】
見解通知部３２４は、見解データの対象である投稿データを送信した投稿用端末に見解データ受信の旨を通知する（Ｓ２０）。投稿者は、見解データ受信の通知により、自ら見解データ受信の有無を確認しなくてもよい。電子掲示板サーバ１００は、投稿用端末から見解データの閲覧要求を受信する（Ｓ２２）。電子掲示板サーバ１００は、閲覧要求のあった見解データをデータ保持部５００から抽出し、投稿用端末に送信する（Ｓ２４）。投稿者は、見解データを閲覧し、閲覧者の反応や要望を知る。
【００５２】
投稿者は、閲覧者により示された見解に対応するため、投稿データを更新するための更新データを入力する（Ｓ２６）。投稿用端末は、更新データを電子掲示板サーバ１００に送信する（Ｓ２８）。電子掲示板サーバ１００の更新データ受信部３３２は、更新データを受信し、投稿データの内容を更新する。更新通知部３３４は、更新前の投稿データに対する見解データをデータ保持部５００から抽出する（Ｓ２９）。更新通知部３３４は、抽出した見解データの中に、「関心」項目で「通知希望」を選択された見解データが含まれるかを判定する（Ｓ３０）。「通知希望」が含まれる見解データが存在しないときには（Ｓ３０のＮ）、更新通知部３３４は更新データの受信を通知しない。「通知希望」が含まれる見解データが存在するときには（Ｓ３０のＹ）、更新通知部３３４は更新データの受信をその見解データを送信した閲覧用端末に通知する（Ｓ３２）。閲覧者は、高い関心のある投稿データに対して「通知希望」を入力することにより、投稿データの更新を通知される。閲覧者は、電子掲示板サーバ１００にアクセスして、自ら投稿データ更新の有無を確認する必要がない。
【００５３】
こうした処理によれば、閲覧者が見解データを送信することにより、送信した内容が更新内容に反映されやすくなる。具体的には、閲覧者がより詳細を知りたい部分を見解データとして送信することで、投稿者はその部分を意識した更新を行う可能性が高くなる。見解データ送信による閲覧者の利益は、閲覧者の見解データ送信を促しやすくなる。一方、投稿者は、見解データが受信されることにより、投稿データに対する反応とともに閲覧者の要望を知ることができる。閲覧者からの反応により、投稿者の投稿データ更新や新たな投稿の意欲を喚起できる。また、閲覧者からの要望により、投稿者はどのような情報が必要とされているかを知ることができる。その必要な情報を含めて更新することで、投稿者はどう更新すべきかを思い煩う必要がない。こうした投稿者と閲覧者とのやりとりによって、電子掲示板サーバ１００は投稿データを収集しやすくなり、受信した投稿データの質の向上を促進する。
【００５４】
図７は、見解データを集計することにより得られる見解の傾向を投稿者に送信するときの処理過程を示すシーケンス図である。
まず、見解傾向集計部４１０は、データ保持部５００に蓄積されている見解データを投稿データごとに抽出し、見解の傾向を集計する（Ｓ３４）。通信処理部３００は、投稿用端末から見解の傾向の閲覧要求を受信する（Ｓ３６）。見解傾向通知部３２６は、閲覧要求のあった見解の傾向を示すデータを投稿用端末に送信する（Ｓ４０）。
【００５５】
投稿用端末には、見解の傾向として、「関心」および「感想」項目のそれぞれの選択肢ごとに図５の領域５２と同様、分数形式の数値によって表示される。例えば、「関心」項目の「有る」という選択肢について「４／４」と表示される。分母の値は、投稿後から現在までにその選択肢を入力した閲覧者の総数を示す。分子の値は、投稿データが更新された場合、更新後にその選択肢を入力した閲覧者の総数を示す。更新されていない場合には、分母の値と同じく投稿後から現在までにその選択肢を入力した閲覧者の総数となる。その場合、分子の値と分母の値は同値となる。投稿端末には、「評価」項目についての見解の傾向も表示される。「評価」項目についての見解の傾向は、閲覧者により選択されたポイントの平均が投稿データごとに集計される。例えば、「＋３ポイント」を選択したユーザが３名、「±０」を選択したユーザが１名、「−３ポイント」を選択したユーザ２名だったとする。この場合、ポイントの総和は
（＋３）×３／６＋（±０）×１／６＋（−３）×２／６＝０．５
となり、「評価」項目の見解の傾向として０．５が表示されることになる。なお、「評価」項目についても、他の項目と同様、投稿後から現在までの全体の平均値と更新後の平均値が表示される。
【００５６】
投稿者は、見解傾向通知部３２６により送信された見解の傾向を閲覧し、投稿データをどう更新するべきかを考える。投稿者は、見解の傾向を閲覧することにより、閲覧者の反応や要望を知ることができる。こうした処理によれば、投稿者が閲覧者を意識することなく、自分本位で投稿データを更新することを防ぐことができる。その結果、投稿データの質が向上し、閲覧者にとって電子掲示板サーバ１００は有用な情報を取得できるシステムとなる。
【００５７】
投稿者は、見解の傾向を参考に更新データを入力する（Ｓ４２）。投稿用端末は、入力された更新データを送信し、見解データ受信部３２２は、その更新データを受け付ける（Ｓ４４）。更新された投稿データを見たユーザは、クライアント端末２００から見解データを送信する。見解データ受信部３２２は、更新後の投稿データに対する見解データを受信する。見解傾向集計部４１０は、更新後に受信した見解データを集計する（Ｓ４６）。
【００５８】
投稿データを更新した投稿者は、更新後に見解の傾向がどう変化したかを確認するため、見解の傾向の閲覧要求をする。通信処理部３００は、投稿用端末から閲覧要求を受信する（Ｓ４８）。見解傾向通知部３２６は、見解傾向集計部４１０により集計された見解の傾向を示すデータを投稿用端末に送信する（Ｓ５２）。投稿用端末には、「関心」、「評価」および「感想」の項目それぞれについて、投稿後から現在までの集計と更新後の集計が表示される。例えば、更新前「関心」項目の「通知希望」では「４／４」と表示されていたが、更新後は「６／１０」と表示されたとする。更新前よりも多い６人の閲覧者が「関心」の項目で最も関心の高い「通知希望」を更新後に選択したことがわかる。更新した内容によって投稿データがより具体的になったことで、関心を示す閲覧者が増えたのかもしれない。
【００５９】
図８は、見解データを送信した閲覧者が更新された投稿データを閲覧するときの処理過程を示すシーケンス図である。
まず、電子掲示板サーバ１００の投稿データ受信部３１２は、投稿用端末から投稿データを受信する（Ｓ５４）。投稿者は、投稿データをより良いものとするため、自主的に投稿データを更新しようと考え、投稿用端末から更新データを送信する（Ｓ５６）。更新データ受信部３３２は、その更新データを受け付ける。閲覧要求受信部３１４は、更新された投稿データに対する閲覧要求を受信する（Ｓ５８）。投稿データ送信部３１６は、閲覧要求のあった投稿データを投稿データ保持部５１０から抽出し、閲覧用端末に送信する（Ｓ６０）。閲覧者は、受信した投稿データに対して見解データを入力する（Ｓ６２）。入力された見解データは、閲覧用端末から電子掲示板サーバ１００に送信される（Ｓ６４）。電子掲示板サーバ１００の見解データ受信部３２２は、その見解データを受信する。
【００６０】
投稿者は、見解データを閲覧し、既に自主的に更新した投稿データを再度更新することを考える。投稿用端末は、投稿者により入力された更新データを送信する（Ｓ６６）。投稿者は、送信した更新データに対してよりよい説明を思い付いたため、更に更新データを送信し（Ｓ６８）、投稿データを更新する。こうして積極的に更新された投稿データに対して以前に見解データを送信した閲覧者は、投稿データがどのように更新されたかを確認しようと考える。閲覧要求受信部３１４は、更新された投稿データの閲覧要求を受信する（Ｓ７０）。投稿データ送信部３１６は、閲覧要求のあった投稿データがその閲覧者から見解データを受信しているかを判定する（Ｓ７２）。閲覧者から見解データを受信していないときには（Ｓ７２のＮ）、最初に投稿された内容から最後に更新された内容まで全てを含んだ投稿データを閲覧用端末に送信する。見解データを送信していないユーザは、その投稿データの閲覧の有無を判断出来ないため、このような処理を実行する。
【００６１】
見解データを受信しているときには（Ｓ７２のＹ）、見解データを受信した時点の投稿データの内容と今回閲覧要求をした時点での投稿データの内容との差分データを送信する（Ｓ７４）。見解データを送信したユーザは、送信した時点までの投稿データの内容を閲覧していると考えられるためである。ユーザは見解データを送信することで、以前に閲覧した内容と最新の投稿データの差分だけを容易に確認できる。見解データ送信のこうしたメリットは、ユーザに見解データの送信を促す。見解データの増加は、投稿者に投稿データ更新や新たな投稿に対する意欲を与えるとともに、閲覧者の見解がより投稿者に伝わりやすいため、投稿データの質を向上させる。
【００６２】
投稿データが更新される場合として、様々な場合が考えられる。自主的にもしくは見解データに応じて、以前の投稿データの内容を補完する場合は、以前の投稿データを踏まえた上で新しい内容を追記していく形で更新されることになる。この場合における投稿データの差分は、新たに追記された更新データの内容となる。一方、以前の投稿データの一部を修正する場合は、以前の投稿データも含んだ状態で、該当箇所だけを置換する形で更新されることも考えられる。この場合の投稿データの差分は、置換された箇所のみを指すことになる。つまり、投稿データの差分とは、閲覧者が見解データを送信した際に閲覧した投稿データの内容を基準として、更新により新しく追加された内容のみを指す。投稿データの差分を抽出する処理に関しては、ＵＮＩＸ（登録商標）におけるｄｉｆｆコマンドのような従来技術を使用できる。
【００６３】
図９は、１つの投稿データを複数の投稿者によって更新するときの処理過程を示すシーケンス図である。
まず、電子掲示板サーバ１００の投稿データ受信部３１２は、投稿用端末から投稿データを受信する（Ｓ７６）。電子掲示板サーバ１００では、原則、投稿データはその投稿データを提供した投稿者しか更新できない。しかしながら、投稿データを提供した投稿者（以下、単に「第１投稿者」という）は、自分以外の投稿者（以下、単に「第２投稿者」という）を投稿データの更新作業に参加させたいと考える場合がある。例えば、投稿した内容について双方ともよく理解しているような状況が考えられる。通信処理部３００は、第１投稿者から第２投稿者の登録要求を受け付ける（Ｓ７８）。電子掲示板サーバ１００は、登録要求に含まれる第２投稿者のデータを受け付け、そのデータを第１投稿者による投稿データと対応付けて更新許可ユーザ保持部５２０に登録する（Ｓ８０）。この登録によって、第２投稿者は、対応付けられた投稿データの更新が可能となる。
【００６４】
更新データ受信部３３２は、第２投稿者からその投稿データに対する更新データを受信する（Ｓ８２）。更新データ受信部３３２は、更新データを送信した第２投稿者がその投稿データの更新権限を有しているかを更新許可ユーザ保持部５２０に登録されているデータを参照し、判定する（Ｓ８４）。第２投稿者が更新権限を有しないとき（Ｓ８４のＮ）、通信処理部３００は、更新不可の旨を示す結果通知データをクライアント端末２００に送信する（Ｓ８８）。更新権限を有さない悪質なユーザによって、誤った情報が追加されるのを防止するためである。第２投稿者が更新権限を有するときには（Ｓ８４のＹ）、電子掲示板サーバ１００は受信した更新データを用いて投稿データを更新し（Ｓ８６）、更新した旨を示す結果通知データをクライアント端末２００に送信する（Ｓ８８）。第２投稿者は、投稿データの更新権限を有するため、投稿データは更新されることになる。
【００６５】
こうした処理によれば、複数の投稿者が更新データを提供し、投稿データを更新できる。そのため、投稿者１人当たりの負担が軽減される。また、複数人で１つの投稿データを更新するため、投稿データの提供を１人で行うよりも労力に対する心理的負担が軽減される。よって、電子掲示板サーバ１００はより多くの投稿データを集めやすくなる。本実施例において、ユーザは自分が送信した投稿内容だけを更新できる。複数の投稿者によって投稿データの完成度を高めていく場合でも、各々の投稿者の責任範囲が明確となる。
【００６６】
また、複数のユーザが１つの投稿データを更新するためには、以下のような処理を行ってもよい。
まず、電子掲示板サーバ１００の使用を希望するユーザは、クライアント端末２００からユーザ登録データを送信する。通信処理部３００は、クライアント端末２００からユーザ登録データを受け付ける。受信したユーザ登録データに問題がない場合、通信処理部３００は、登録完了の旨を示す登録結果通知データをユーザを識別するためのユーザＩＤとパスワードと共にクライアント端末２００に送信する。電子掲示板サーバ１００の使用を開始する際、ユーザはクライアント端末からユーザＩＤとパスワードを送信する。電子掲示板サーバ１００は、受信したユーザＩＤとパスワードが登録されているデータと適合することを条件に、そのクライアント端末からの接続を許可する。
【００６７】
ユーザは、電子掲示板サーバ１００に接続した後、クライアント端末２００から投稿データを送信する。電子掲示板サーバ１００の投稿データ受信部３１２は、その投稿データを受信する。投稿者は、その投稿データを投稿者以外のユーザと協力して更新することを考える。投稿者は、投稿データの更新権限を投稿者以外のユーザに付与するためのグループＩＤの登録要求を送信する。通信処理部３００は、クライアント端末２００からグループＩＤの登録要求を受信する。電子掲示板サーバ１００は、受信した登録要求に基づいて、その投稿データにグループＩＤを設定する。データ保持部５００は、設定されたグループＩＤとその投稿データを対応付けて登録する。
【００６８】
協力ユーザが投稿データを更新するためには、電子掲示板サーバ１００に接続した際のユーザＩＤに基づいてグループＩＤを取得する必要がある。投稿者は、協力ユーザのユーザＩＤとグループＩＤとを対応付けて登録する旨の要求をクライアント端末２００から送信する。協力ユーザは１人に限られないため、複数の協力ユーザのユーザＩＤについて登録要求を送信できる。通信処理部３００は、その登録要求を受信する。データ保持部５００は、受信された登録要求に基づいて、その協力ユーザのユーザＩＤとグループＩＤとを対応付けて登録する。協力ユーザは、グループＩＤの取得要求をクライアント端末２００から送信する。通信処理部３００は、その取得要求を受信する。
【００６９】
データ処理部４００は、グループＩＤの取得要求が受信されたとき、データ保持部５００を参照し、協力ユーザのユーザＩＤがグループＩＤを取得可能か否かを判定する。取得できないとき、通信処理部３００は、グループＩＤの取得不可の旨を示す結果通知データをクライアント端末２００に送信する。取得可能であるときには、データ処理部４００は、そのグループＩＤが別の協力ユーザにより取得されている最中か否かを判定する。グループＩＤが取得されている最中のとき、通信処理部３００は、グループＩＤ取得不可の旨を示す結果通知データをクライアント端末２００に送信する。グループＩＤが取得されていないときには、データ処理部４００は、協力ユーザのＩＤをグループＩＤに切り換える。協力ユーザは、投稿データの更新権限を有するグループＩＤに切り換わることで、更新データを送信できるようになる。
【００７０】
こうした処理によっても、複数の投稿者による投稿データの更新が可能であり、図９の処理と同様の効果が期待できる。更に、同時にグループＩＤを取得できるユーザが１人に限られるため、複数のユーザが同時に投稿データを編集することを防止できる。そのため、複数のユーザは、より円滑に投稿データを更新しやすくなる。
【００７１】
図１０は、更新許可ユーザ保持部５２０のデータ構造図である。
上の行は投稿データを示し、下の行は各投稿データの更新を許可されたユーザ名を示す。電子掲示板サーバ１００は、あるユーザから投稿データを受け付けると、そのユーザをその投稿データの更新許可ユーザとして、更新許可ユーザ保持部５２０に登録する。例えば、ユーザＡは投稿データαを、ユーザＤは投稿データβを、電子掲示板サーバ１００に送信する。電子掲示板サーバ１００は、それらの投稿データを受信した上で、ユーザＡとユーザＤをそれぞれの投稿データの更新許可ユーザとして更新許可ユーザ保持部５２０に登録する。その後、ユーザＡは、別のユーザと投稿データを書き進めることを考え、その投稿データの更新許可ユーザとしてユーザＣを登録する。一方、ユーザＤは、その後も１人で投稿データの更新を続ける。
【００７２】
図１０は、こうした状況を例示している。投稿データαには更新許可ユーザとして、ユーザＡとユーザＣが属する。投稿データβには、ユーザＤのみが属する。ここでは簡単のため、ユーザが３名の場合だけについて説明している。しかしながら、実際の運用においては、１つの投稿データにより多数のユーザが登録されることも想定される。
【００７３】
図１１は、見解データを送信したユーザが投稿データを検索するときの処理過程を示すシーケンス図である。
まず、閲覧要求受信部３１４は、投稿データの閲覧要求を受信する。投稿データ送信部３１６は、閲覧要求のあった投稿データをクライアント端末２００に送信する。ユーザは、受信した投稿データに対して見解データを入力する（Ｓ９０）。クライアント端末２００は、入力された見解データを電子掲示板サーバ１００に送信する（Ｓ９２）。電子掲示板サーバ１００の見解データ受信部３２２は、その見解データを受け付ける。
【００７４】
その後、ユーザは、投稿データ保持部５１０に蓄積されている投稿データの中から、必要な投稿データを探すことを考える。クライアント端末２００は、ユーザが入力したキーワードなどを含む検索コマンドを送信する（Ｓ９４）。例えば、クレームの対応に関する情報を探している場合、ユーザはキーワードとして「クレーム」や取引先の名前である「東京商事」というキーワードを入力する。投稿データをキーワードに基づいて検索する技術に関しては、Ｎａｍａｚｕなどの既知の全文検索技術を使用できる。
【００７５】
検索コマンド受信部３４０は、クライアント端末２００から検索コマンドを受信する。検索実行部４２０は、キーワードに適合する投稿データを抽出する（Ｓ９６）。検索実行部４２０は、検索コマンドを送信したユーザが過去に「関心：無し」とする見解を示した投稿データが存在するかを判定する（Ｓ９８）。存在しないときには（Ｓ９８のＮ）、抽出した投稿データへのリンク情報を含む索引データを検索結果としてクライアント端末２００に送信する（Ｓ１０２）。存在するときには（Ｓ９８のＹ）、検索実行部４２０は、抽出した投稿データの中から、「無し」を含む見解データの対象となった投稿データを除外する（Ｓ１００）。通信処理部３００は、除外されなかった投稿データについて、そのリンク情報を含む索引データを検索結果としてクライアント端末２００に送信する（Ｓ１０２）。
【００７６】
こうした処理によれば、ユーザは、関心のない投稿データを検索結果から取り除くことができる。ユーザは、投稿データを閲覧した際、関心がない旨の見解を示すことで、より効率的に必要な投稿データへとたどり着ける。いいかえれば、過去に閲覧し有益でないと判断した投稿データを再度閲覧する手間を省くことができる。見解データを送信することにより、ユーザはこうしたメリットを享受できる。見解データが頻繁に送信されるようになれば、投稿者の投稿データ更新や新たな投稿に対する意欲向上にも繋がる。このような正のサイクルにより、電子掲示板サーバ１００はより多く、そしてより質の高い投稿データを収集できる。
【００７７】
図１２は、複数の投稿データを１つのファイルにまとめてクライアント端末２００に出力するときの処理過程を示すシーケンス図である。
まず、閲覧要求受信部３１４は、閲覧要求を受信する。投稿データ送信部３１６は、閲覧要求対象の投稿データをクライアント端末２００に送信する。ユーザは、見解データを入力する（Ｓ１０４）。クライアント端末２００は、入力された見解データを電子掲示板サーバ１００に送信する（Ｓ１０６）。見解データ受信部３２２は、その見解データを受け付ける。
【００７８】
ユーザは、オフラインでも投稿データを閲覧するため、あるディレクトリに分類されている投稿データをクライアント端末２００に保存したいと考える。ユーザは、保存を考える下位ディレクトリを図１３の領域６２にて選択する。更に、ユーザは、選択したディレクトリに含まれる投稿データの中から必要な投稿データのみをクライアント端末２００に保存したいと考える。電子掲示板サーバ１００が提供する機能により、ユーザは過去に入力した見解データを利用して、保存したい投稿データを選定するための条件を指定できる。例えば、ユーザは、選択したディレクトリに分類されている投稿データの中から、過去に「関心：有る」を選択した投稿データのみを、クライアント端末２００に出力させることができる。条件の指定については、図１３と関連して詳述する。
【００７９】
ユーザは、クライアント端末２００にて出力させたい投稿データの条件を入力する（Ｓ１０７）。クライアント端末２００は、その条件データを含む出力コマンドを電子掲示板サーバ１００に送信する（Ｓ１０８）。電子掲示板サーバ１００の出力コマンド受信部３５２は、その出力コマンドを受信する。ファイル作成部４３０は、出力コマンドにより指定された投稿データを抽出する（Ｓ１１０）。ファイル作成部４３０は、抽出した投稿データを統合し、１つのＨＴＭＬファイルを作成する（Ｓ１１２）。ファイルの形式は、テキストファイル、ＰＤＦファイルなどであってもよい。ファイル送信部３５４は、ファイル作成部４３０により作成されたＨＴＭＬファイルをクライアント端末２００に送信する（Ｓ１１４）。
【００８０】
こうした処理によれば、複数の投稿データが１つのファイルにまとめられるため、ユーザは必要な情報のみをファイルとして管理し、オフラインで使用できる。また、下位ディレクトリに含まれる投稿データを印刷する際、それぞれの投稿データをクライアント端末２００の画面に表示させた上で、１つずつ印刷しなくて済む。更に、ユーザは、大量の投稿データの中から必要とする情報のみを選択できるため、出力されたファイルは、自分に最も適したテキストとなり得る。
【００８１】
図１３は、出力する投稿データの条件設定画面６０の画面図である。
同図の領域６２には、図５の領域４２と同様、投稿データが分類されているディレクトリが表示される。領域６２の下位ディレクトリ名に対しては、リンク情報が付与されている。ユーザが下位ディレクトリ名をクリックすると、領域６４にその下位ディレクトリに属する投稿データの題名が表示される。画面図６０の領域６４では、下位ディレクトリである「資格取得」に属する投稿データの題名が表示されている。ユーザは、「資格取得」に含まれる投稿データをクライアント端末２００に出力させたいと推測される。
【００８２】
領域６６および領域６８では、領域６４に表示された投稿データの中から、ユーザが出力を希望する投稿データの選択条件を設定する。領域６６には、投稿者が投稿データに対して付与する所感データの選択肢を表示する。領域６４に表示されている投稿データのうち、ユーザが領域６６で選んだ選択肢を投稿者により入力された投稿データがクライアント端末２００に出力される。領域６８には、「関心」、「評価」および「感想」の３つの項目の選択肢を表示する。領域６４に表示されている投稿データのうち、ユーザが領域６８で選んだ選択肢をそのユーザによって過去に入力された投稿データがクライアント端末２００に出力される。
【００８３】
画面図６０の領域６６では、「投稿者の気持ち：公式情報」が、領域６８では「関心：通知希望」と「評価：＋３ポイント」が選択されている。同図の領域６４では、「資格取得」が表示されている。ユーザが、この条件で出力コマンドをクライアント端末２００から電子掲示板サーバ１００に送信すると、ファイル作成部４３０は、「資格取得」に含まれる投稿データを投稿データ保持部５１０から抽出する。ファイル作成部４３０は、抽出した投稿データの中から、投稿者により「投稿者の気持ち：公式情報」の所感データを付与され、かつ、出力コマンドを送信したユーザが「関心：通知希望」と「評価：＋３ポイント」の見解データを入力した投稿データを選定する。ファイル作成部４３０は、選定した投稿データを１つのファイルに統合する。ファイル送信部３５４は、そのファイルをクライアント端末２００に送信し、出力処理が完了する。
【００８４】
領域６６または領域６８にて条件が指定され、ＯＫボタン７０がクリックされると、ファイル作成部４３０は該当する投稿データを抽出し、ファイルを作成する。キャンセルボタン７２がクリックされると、ファイル作成部４３０は投稿データの抽出を取り消す。ユーザは条件を指定することで、大量の投稿データの中から必要とする情報のみを選択できるため、出力されたファイルは、自分にとって好適なテキストとなり得る。このようにユーザは見解データを送信することにより、多大なメリットを享受できる。ユーザが見解データを送信することで、投稿者は提供した投稿データに対する反応や要望を受け取ることができる。投稿データに対する反応は、投稿データ更新や新たな投稿に対する意欲を投稿者にもたらす。投稿データに対する具体的な要望は、投稿データをどう更新すべきかのヒントを投稿者に与え、投稿者の負担を軽減する。また、ユーザからの要望に対応することで、閲覧者にとって有益な投稿データが形成される。投稿者と閲覧者のよいサイクルが完成することで、電子掲示板サーバ１００における投稿データの質が向上し、より多くの閲覧者に利用されることになる。更に、投稿者の負担軽減は、より多くのユーザから投稿データを収集することを可能にする。
【００８５】
図１４は、投稿データと共に所感データを送信するとき処理過程を示すシーケンス図である。
投稿データの提供を考えた投稿者は、クライアント端末２００に投稿データを入力する（Ｓ１１５）。投稿者は、入力した投稿データの内容に対して、所感データを入力する（Ｓ１１６）。所感データは、図４の領域２６に表示される選択肢によって入力されるデータである。クライアント端末２００は、投稿データと所感データを電子掲示板サーバ１００に送信する（Ｓ１１７、Ｓ１１８）。電子掲示板サーバ１００の投稿データ受信部３１２は、投稿データと所感データを受け付ける。受信された投稿データは、投稿データ保持部５１０に登録される。受信された所感データは、その投稿データと対応付けられた上でデータ保持部５００に登録される。
【００８６】
ある閲覧者は、所感データが付与されたその投稿データを閲覧したいと考える。閲覧要求受信部３１４は、クライアント端末２００から、投稿データの閲覧要求を受信する（Ｓ１２０）。投稿データ送信部３１６は、閲覧要求のあった投稿データを投稿データ保持部５１０から抽出すると共に、その投稿データと対応付けられた所感データをデータ保持部５００から抽出する。投稿データ送信部３１６は、抽出した投稿データと所感データをセットにしてクライアント端末２００に送信する（Ｓ１２２、Ｓ１２４）。
【００８７】
このような処理によれば、閲覧者は所感データを確認することで、投稿データの内容をより客観的に見ることができる。投稿者が投稿データを入力する際の画面図である図４では、投稿者は「英会話の勉強について」という内容の投稿データが入力されている。投稿データの本文「今でこそ英語が得意な私ですが・・・（中略）・・・毎日英語を聞くことでした」からは、英語を常に聞くことが上達への道であることが読み取れる。しかしながら、投稿データの内容は、具体性に欠ける。毎日英語を聞くための環境をどのようにして整えたのか、その内容から知ることはできない。そのため、閲覧者によってはただの自慢話にしか感じないかもしれない。折角の投稿が、閲覧者に有益な情報とならないばかりか、閲覧者に好ましくない感情を抱かせることも考えられる。
【００８８】
図４の領域２６では、所感データとして「意見歓迎」と「参考レベル」が選択されている。閲覧者は、この所感データを確認することで、投稿者はこの投稿に対して興味がある人を探る程度に投稿したと思うかもしれない。また、閲覧者からの意見に応じ、投稿データを更新するつもりで投稿したと感じるかもしれない。投稿者は、所感データを入力することにより、投稿の意図をより正確に閲覧者に伝えることができる。閲覧者が投稿データの内容をより理解しやすくなることで、投稿者は、閲覧者が投稿データをどう受けとめるかについて不要な不安を抱かなくて済む。ユーザが投稿をしようと考える際、そうした心理的負担を軽減させることができる。
【００８９】
図１５は、見解データを送信する閲覧者の登録期間を判定するときの処理過程を示すシーケンス図である。
まず、電子掲示板サーバ１００の使用を希望するユーザは、クライアント端末２００からユーザ登録データを送信する（Ｓ１２６）。通信処理部３００は、クライアント端末２００からユーザ登録データを受け付ける。受信したユーザ登録データに問題がない場合には、ユーザ登録データは、閲覧許可ユーザ保持部５３０に登録される。通信処理部３００は、登録完了の旨を示す登録結果通知データをクライアント端末２００に送信する（Ｓ１２８）。ユーザは電子掲示板サーバ１００に登録されることにより、投稿データ保持部５１０に蓄積されている全ての投稿データの閲覧権限を有する。
【００９０】
登録が完了したユーザは、投稿データを閲覧しようと考える。閲覧要求受信部３１４は、投稿データの閲覧要求を受信する（Ｓ１３０）。投稿データ送信部３１６は、閲覧要求のあった投稿データを送信する（Ｓ１３２）。ユーザは、クライアント端末２００にて、投稿データに対する見解データを入力する（Ｓ１３４）。クライアント端末２００は、入力した見解データを電子掲示板サーバ１００に送信する（Ｓ１３６）。見解データ受信部３２２は、クライアント端末２００から見解データを受信する。
【００９１】
見解傾向集計部４１０は、閲覧許可ユーザ保持部５３０を参照することで、見解データを送信したユーザが見解データの送信権限を有するかを判定する（Ｓ１３８）。判定は、ユーザが電子掲示板サーバ１００に登録している期間に基づいて行われる。見解傾向集計部４１０は、閲覧許可ユーザ保持部５３０を参照し、見解データを送信したユーザが閲覧許可ユーザ保持部５３０に登録されていた期間を算出する。見解傾向集計部４１０は、ユーザの登録期間が所定の期間を超えていないときには（Ｓ１３８のＮ）、クライアント端末２００から受信した見解データを破棄する。通信処理部３００は、クライアント端末２００に対して見解データの送信権限を有しない旨の結果通知データを送信する（Ｓ１４２）。ユーザの登録期間が所定の期間を超えているときには（Ｓ１３８のＹ）、見解傾向集計部４１０は受信した見解データを集計対象とし、見解の傾向を集計する（Ｓ１４０）。通信処理部３００は、クライアント端末２００に対して見解データが正常に処理された旨の結果通知データを送信する（Ｓ１４２）。
【００９２】
仮に、見解データの送信権限を取得するために必要な期間は、１ヶ月であるとする。ユーザは、登録後１ヶ月の間は投稿データを閲覧できるが、投稿データに対して見解データを送信できない。悪質なユーザは、特定のユーザや投稿に対して嫌がらせをするため、１人で多数のユーザ登録を行うことがある。それぞれの登録ユーザになりすまし見解データを送信することで、あたかも多くのユーザがその投稿者や投稿データを非難しているかのような状態を作る。電子掲示板サーバ１００では、悪質なユーザが多数のユーザ登録を行っても、登録したばかりのユーザ登録を利用し、見解データを送信できない。そのため、悪質なユーザによる問題行動を抑止しやすくなる。
【００９３】
以上、実施の形態をもとに本発明を説明した。なお本発明はこの実施の形態に限定されることなく、そのさまざまな変形例もまた、本発明の態様として有効である。例えば、見解データを見解の傾向を集計する目的以外に使用してもよい。投稿データαに対して、ユーザＡとユーザＢが同じ見解を示す見解データを送信したとする。ユーザＡとユーザＢが投稿データαに対して同じ見解を示していることから、両ユーザは価値観が近いと考えられる。投稿データβに対して、ユーザＡは見解データを既に送信しているが、ユーザＢは送信していない。ユーザＢが投稿データβを閲覧する際、電子掲示板サーバ１００は、価値観の類似が想定されるユーザＡの投稿データβに対する見解に応じて、クライアント端末２００の画面の表示方法を変化させる。
【００９４】
ユーザＡが、投稿データβに対して「評価：＋３ポイント」という見解データを送信した場合、ユーザＢが閲覧するクライアント端末２００の画面に「おすすめ」等の表示が投稿データβと共に表示される。ユーザＡが、「評価：−３ポイント」という見解データを送信した場合、クライアント端末２００の画面に「見なくてよい」等の表示が投稿データβと共に表示される。
【００９５】
投稿データβと共に表示される内容は、価値観が近いと判定されたユーザＡの見解によるものであるため、ユーザＢにとって有益な情報になり得る。そのため、ユーザＢは、投稿データの閲覧の際、その表示を考慮することで投稿データ保持部５１０に蓄積された多大な投稿データをより効率的に閲覧できる。見解データをこのように処理することで、ユーザに更なるメリットを与えることができる。よって、投稿システム１０では、ユーザに見解データの送信を促しやすくなる。
【図面の簡単な説明】
【００９６】
【図１】投稿システムのハードウェア構成図である。
【図２】投稿システムの処理概要を説明するための模式図である。
【図３】電子掲示板サーバの機能ブロック図である。
【図４】ユーザが投稿データを入力するときにクライアント端末２００に表示される画面の画面図である。
【図５】ユーザが投稿データを閲覧するときにクライアント端末２００に表示される画面の画面図である。
【図６】閲覧者による見解データに応じて投稿者が投稿データを更新するときの処理過程を示すシーケンス図である。
【図７】見解データを集計することにより得られる見解の傾向を投稿者に送信するときの処理過程を示すシーケンス図である。
【図８】見解データを送信した閲覧者が更新された投稿データを閲覧するときの処理過程を示すシーケンス図である。
【図９】１つの投稿データを複数の投稿者によって更新するときの処理過程を示すシーケンス図である。
【図１０】更新許可ユーザ保持部のデータ構造図である。
【図１１】見解データを送信したユーザが投稿データを検索するときの処理過程を示すシーケンス図である。
【図１２】複数の投稿データを１つのファイルにまとめてクライアント端末に出力するときの処理過程を示すシーケンス図である。
【図１３】出力する投稿データの条件設定画面の画面図である。
【図１４】投稿データと共に所感データを送信するとき処理過程を示すシーケンス図である。
【図１５】見解データを送信する閲覧者の登録期間を判定するときの処理過程を示すシーケンス図である。
【符号の説明】
【００９７】
１０  投稿システム、  １２  インターネット、  １００  電子掲示板サーバ、  ２００  クライアント端末、  ３００  通信処理部、  ３１０  投稿データ部、  ３１２  投稿データ受信部、  ３１４  閲覧要求受信部、  ３１６  投稿データ送信部、  ３２０  見解部、  ３２２  見解データ受信部、  ３２４  見解通知部、  ３２６  見解傾向通知部、  ３３０  更新部、  ３３２  更新データ受信部、  ３３４  更新通知部、  ３４０  検索コマンド受信部、  ３５０  出力部、  ３５２  出力コマンド受信部、  ３５４  ファイル送信部、  ４００  データ処理部、  ４１０  見解傾向集計部、  ４２０  検索実行部、  ４３０  ファイル作成部、  ５００  データ保持部、  ５１０  投稿データ保持部、  ５２０  更新許可ユーザ保持部、  ５３０  閲覧許可ユーザ保持部。
【図１】
2008033800.tif 000003
【図２】
2008033800.tif 000004
【図３】
2008033800.tif 000005
【図４】
2008033800.tif 000006
【図５】
2008033800.tif 000007
【図６】
2008033800.tif 000008
【図７】
2008033800.tif 000009
【図８】
2008033800.tif 000010
【図９】
2008033800.tif 000011
【図１０】
2008033800.tif 000012
【図１１】
2008033800.tif 000013
【図１２】
2008033800.tif 000014
【図１３】
2008033800.tif 000015
【図１４】
2008033800.tif 000016
【図１５】
2008033800.tif 000017